(57)【特許請求の範囲】
【請求項１】
第一の表示端末は、
第一の表示手段と、
前記第一の表示手段に表示されている表示内容を示す情報を取得する取得手段と、
前記取得手段により取得された前記表示内容を示す情報を、通信可能に接続された第二の表示端末に送信する送信手段と、を備え、
前記第二の表示端末は、
第二の表示手段と、
前記第一の表示端末から送信された前記表示内容を示す情報を受信する受信手段と、
前記受信手段により受信された前記表示内容を示す情報に基づいて、前記第二の表示手段で表示させるべきアプリケーションを特定するアプリケーション特定手段と、
前記アプリケーション特定手段で特定された前記アプリケーションを起動させると共に、前記受信手段により受信された前記表示内容を示す情報に基づいて、前記アプリケーションにおける前記第一の表示手段の表示内容に関連する内容の関連情報を前記第二の表示手段に表示させる制御手段と、
を備えることを特徴とする表示システム。
【請求項２】
前記第二の表示端末は、
ユーザから当該第二の表示端末の表示領域越しに前記第一の表示手段の表示領域が見える位置に存するか否かを判定する判定手段を更に備え、
前記制御手段は、
前記判定手段により存すると判定された場合に、前記関連情報を前記第二の表示手段の表示領域に表示させることを特徴とする請求項１に記載の表示システム。
【請求項３】
前記表示内容を示す情報は、前記第一の表示手段に表示されている範囲を示す範囲情報を含むことを特徴とする請求項２記載の表示システム。
【請求項４】
前記第二の表示手段は、
前記範囲情報に基づいて、前記第二の表示手段における、前記第一の表示端末の表示内容に対応する範囲を特定する範囲特定手段を備え、
前記制御手段は、前記範囲特定手段により特定された範囲を透過させると共に前記範囲特定手段により特定された範囲以外の部分の関連情報を透過表示させた状態で前記第一の表示手段の表示内容に関連する内容の関連情報を前記第二の表示手段に表示させることを特徴とする請求項３に記載の表示システム。
【請求項５】
前記関連情報は、前記第一の表示手段に表示されている表示内容に対応する情報を一部に含む情報であり、
前記制御手段は、更に、
前記判定手段により存すると判定された場合に、前記第一の表示手段に表示されている表示内容に対して前記関連情報に含まれる当該表示内容に対応する情報の位置を一致させるように前記関連情報を前記第二の表示手段の表示領域に表示させることを特徴とする請求項３又は４に記載の表示システム。
【請求項６】
前記関連情報は、前記第一の表示手段に表示されている表示内容以外の情報を含み、
前記制御手段は、更に、
前記判定手段により存すると判定された場合に、前記第一の表示手段に表示されている表示内容に対して前記関連情報に含まれる当該表示内容に対応する情報の位置を一致させるように前記関連情報を前記第二の表示手段の表示領域に表示させることを特徴とする請求項３又は４に記載の表示システム。
【請求項７】
前記第二の表示手段は、更に、
外界像の光に対して前記関連情報の光を重畳して表示領域に透過表示することを特徴とする請求項１乃至６のいずれかに記載の表示システム。
【請求項８】
前記第一の表示端末は、
当該端末本体の傾きを検出する検出手段を更に備え、
前記送信手段は、
前記検出手段により検出された当該端末本体の傾きを示す情報を前記第二の表示端末に送信し、
前記第二の表示端末の前記制御手段は、前記受信手段により受信された前記第一の表示端末本体の傾きを示す情報に基づいて、前記関連情報を傾斜させて前記第二の表示手段に表示させることを特徴とする請求項１乃至７のいずれかに記載の表示システム。
【請求項９】
前記第一の表示端末にあっては、
前記第一の表示手段は、
前記検出手段により検出された当該端末本体の傾きを示す情報に基づいて、前記表示内容を傾斜させて表示することを特徴とする請求項８に記載の表示システム。
【請求項１０】
前記第一の表示端末は、手首に装着される腕時計型の表示端末であり、
前記第二の表示端末は、頭に装着される眼鏡型の表示端末であることを特徴する請求項１乃至９のいずれかに記載の表示システム。
【請求項１１】
表示手段と、
通信可能に接続された他の表示端末から送信され、前記他の表示端末に表示されている表示内容を示す情報を受信する受信手段と、
前記受信手段により受信された前記表示内容を示す情報に基づいて、前記表示手段に表示させるべきアプリケーションを特定するアプリケーション特定手段と、
前記アプリケーション特定手段で特定された前記アプリケーションを起動させると共に、前記受信手段により受信された前記表示内容を示す情報に基づいて、前記アプリケーションにおける前記他の表示端末の表示内容に関連する内容の関連情報を前記表示手段に表示させる制御手段と、
を備えることを特徴とする表示端末。
【請求項１２】
第一の表示端末と、第二の表示端末からなる表示システムであって、
前記第一の表示端末が有する第一の表示手段と、
前記第二の表示端末が有する第二の表示手段と、
前記第一の表示手段に表示されている表示内容を示す情報を取得する取得手段と、
前記表示内容を示す情報に基づいて、前記第二の表示手段に表示させるべきアプリケーションを特定するアプリケーション特定手段と、
前記アプリケーション特定手段で特定された前記アプリケーションを起動させると共に、前記表示内容を示す情報に基づいて、前記アプリケーションにおける前記第一の表示手段の表示内容に関連する内容の関連情報を前記第二の表示手段に表示させる制御手段と、
を備えることを特徴とする表示システム。
【請求項１３】
互いが通信可能に接続された複数の表示端末のうち、第一の表示端末は、
第一の表示手段に表示されている表示内容を示す情報を取得する処理と、
取得された前記表示内容を示す情報を、第二の表示端末に送信する処理と、を行い、
前記第二の表示端末は、
前記第一の表示端末から送信された前記表示内容を示す情報を受信する処理と、
受信された前記表示内容を示す情報に基づいて、第二の表示手段で表示させるべきアプリケーションを特定する処理と、
特定された前記アプリケーションを起動させると共に、受信された前記表示内容を示す情報に基づいて、前記アプリケーションにおける前記第一の表示手段の表示内容に関連する内容の関連情報を前記第二の表示手段に表示させる処理と、を行うことを特徴とする表示方法。
【請求項１４】
通信可能に他の表示端末と接続された表示端末が有するコンピュータを、
前記他の表示端末から送信され、当該他の表示端末に表示されている表示内容を示す情報を受信する受信制御手段、
受信された前記表示内容を示す情報に基づいて、表示手段で表示させるべきアプリケーションを特定するアプリケーション特定手段、
前記アプリケーション特定手段で特定された前記アプリケーションを起動させると共に、受信された前記表示内容を示す情報に基づいて、前記アプリケーションにおける前記他の表示端末の表示内容に関連する内容の関連情報を前記表示手段に表示させる表示制御手段、
として機能させることを特徴とするプログラム。
【発明の詳細な説明】
【技術分野】
【０００１】
本発明は、表示システム、表示端末、表示方法及びプログラムに関する。
【背景技術】
【０００２】
従来、日時や温度等の各種情報を表示するディスプレイ等を備える腕時計が知られている（例えば、特許文献１参照）。また、近年では、より大型のディスプレイに、日時や温度以外の情報、例えば、地図、Ｗｅｂサイト、画像等を表示可能な腕時計型の表示端末も提案されている。
【先行技術文献】
【特許文献】
【０００３】
【特許文献１】特開２００６−２９２４２８号公報
【発明の概要】
【発明が解決しようとする課題】
【０００４】
しかしながら、腕時計型の表示端末は、一般的に手首に装着されることから寸法に制約が生じ、広い面積の表示領域を確保し難い。このため、腕時計型の表示端末では、地図、Ｗｅｂサイト、画像等を拡大して表示すると、その一部分しか表示されないこととなり、使い勝手が悪いといった問題がある。
【０００５】
本発明は、このような問題に鑑みてなされたものであり、本発明の課題は、より多くの情報を効率良く表示することができる表示システム、表示端末、表示方法及びプログラムを提供することである。
【課題を解決するための手段】
【０００６】
上記課題を解決するため、本発明に係る表示システムは、第一の表示端末は、第一の表示手段と、前記第一の表示手段に表示されている表示内容を示す情報を取得する取得手段と、前記取得手段により取得された前記表示内容を示す情報を、通信可能に接続された第二の表示端末に送信する送信手段と、を備え、前記第二の表示端末は、第二の表示手段と、前記第一の表示端末から送信された前記表示内容を示す情報を受信する受信手段と、前記受信手段により受信された前記表示内容を示す情報に基づいて、前記第二の表示手段で表示させるべきアプリケーションを特定するアプリケーション特定手段と、前記アプリケーション特定手段で特定された前記アプリケーションを起動させると共に、前記受信手段により受信された前記表示内容を示す情報に基づいて、前記アプリケーションにおける前記第一の表示手段の表示内容に関連する内容の関連情報を前記第二の表示手段に表示させる制御手段と、を備えることを特徴としている。
【発明の効果】
【００１０】
本発明によれば、より多くの情報を効率良く表示することができる。
【図面の簡単な説明】
【００１１】
【図１】本発明を適用した一実施形態の表示システムの概略構成を示す図である。
【図２】図１の表示システムを構成する腕時計型表示端末の概略構成を示すブロック図である。
【図３】図１の表示システムを構成する眼鏡型表示端末の概略構成を示すブロック図である。
【図４】図１の表示システムによる表示処理に係る動作の一例を示すフローチャートである。
【図５】図１の表示システムによる表示処理を説明するための図である。
【発明を実施するための形態】
【００１２】
以下に、本発明について、図面を用いて具体的な態様を説明する。ただし、発明の範囲は、図示例に限定されない。
【００１３】
図１は、本発明を適用した一実施形態の表示システム１００の概略構成を示す図である。
図１に示すように、本実施形態の表示システム１００は、腕時計型表示端末１（図２参照）と、眼鏡型表示端末２（図３参照）とを備え、腕時計型表示端末１と眼鏡型表示端末２とは、無線通信回線を介して情報通信可能に接続されている。
【００１４】
先ず、腕時計型表示端末（第一の表示端末）１について、図２を参照して説明する。
図２は、表示システム１００を構成する腕時計型表示端末１の概略構成を示すブロック図である。
【００１５】
腕時計型表示端末１は、所謂、装着者Ｓに装着されるウェアラブルコンピューターシステムであり、特に手首装着型コンピューターシステム（ヘッドマウンティドディスプレイ）である。
図２に示すように、腕時計型表示端末１は、中央制御部１０１と、メモリ１０２と、傾き検出部１０３と、表示部１０４と、表示制御部１０５と、表示内容取得部１０６と、計時部１０７と、無線処理部１０８と、操作入力部１０９とを備えている。
また、中央制御部１０１、メモリ１０２、傾き検出部１０３、表示部１０４、表示制御部１０５、表示内容取得部１０６、計時部１０７及び無線処理部１０８は、バスライン１１０を介して接続されている。
【００１６】
中央制御部１０１は、腕時計型表示端末１の各部を制御するものである。具体的には、中央制御部１０１は、図示は省略するが、ＣＰＵ（Central Processing Unit）、ＲＡＭ（Random Access Memory）、ＲＯＭ（Read Only Memory）を備え、腕時計型表示端末１用の各種処理プログラム（図示略）に従って各種の制御動作を行う。
【００１７】
メモリ１０２は、例えば、ＤＲＡＭ（Dynamic Random Access Memory）等により構成され、中央制御部１０１の他、当該腕時計型表示端末１の各部によって処理されるデータ等を一時的に記憶するものである。
【００１８】
傾き検出部（検出手段）１０３は、当該端末本体の傾きを検出する。
すなわち、傾き検出部１０３は、当該端末本体の重力軸方向に対する傾きを検出する。具体的には、傾き検出部１０３は、例えば、３軸加速度センサ等を備え、この３軸加速度センサによる各軸の検出信号の０Ｈｚの周波数成分に基づいて重力軸方向を特定し、当該重力軸方向に対する各軸の傾きを検出する。
なお、上記した３軸加速度センサによる重力軸方向の検出手法や、傾き検出部１０３による端末本体の重力軸方向に対する傾きの検出手法は、一例であってこれに限られるものではなく、適宜任意に変更可能である。
【００１９】
表示部（第一の表示手段）１０４は、所定の情報を表示する。
すなわち、表示部１０４は、例えば、ＬＣＤ等を具備し、中央制御部１０１のＣＰＵの制御下にて各種情報を表示領域１０４ａ（図５（ａ）等参照）内に表示する。具体的には、表示部１０４は、例えば、表示制御部１０５から出力された画像信号に応じてアプリケーション画面（例えば、地図画面やＷｅｂページ画面等）を表示領域１０４ａ内に表示する。
【００２０】
表示制御部１０５は、中央制御部１０１のＣＰＵによる各種のアプリケーションプログラム（図示略）の実行に基づいて、アプリケーション画面を生成し、生成されたアプリケーション画面に従った画像信号を表示部１０４に出力する。また、表示制御部１０５は、例えば、ユーザによる操作入力部１０９の所定操作に基づいてアプリケーション画面を拡大して表示したり縮小して表示部１０４に表示させても良く、この場合には、表示領域１０４ａを構成する画素数に応じてアプリケーション画面全体が表示されずに、その一部分が表示された状態となる場合も生じる。
なお、アプリケーションプログラムとしては、例えば、地図表示ソフト、電子メールソフト、インターネットブラウザ、メッセンジャー、ゲームソフト、電子辞書ソフト、ワードプロセッサ、表計算ソフト、プレゼンテーションソフト、画像編集ソフト、作図ソフト、ベクトルグラフィックエディタ又はデジタルカメラ制御等のプログラムが挙げられる。
また、アプリケーションプログラムは、例えば、予めＲＯＭに記録されていても良いし、眼鏡型表示端末２から送信され無線処理部１０８を介して受信されても良いし、図示しない通信処理部が通信ネットワークＮを介して外部サーバから取得しても良い。
【００２１】
また、表示制御部１０５は、傾き検出部１０３により検出された当該端末本体の傾きを示す情報に基づいて、表示領域１０４ａ内に表示されている表示内容を傾斜させて表示部１０４に表示させても良い。すなわち、表示制御部１０５は、当該端末本体が重力軸方向に対する傾きに応じて表示内容を奥行きを持たせるように変形させる。
例えば、アプリケーション画面として地図画面を表示する場合等に、当該端末本体が重力軸方向に対する傾きに応じて装着者Ｓの視線方向に正対しているかどうかを特定して、表示制御部１０５は、装着者Ｓの視線方向に正対している場合には二次元の地図情報を取得して二次元の地図画面を表示部１０４に表示させ、装着者Ｓの視線方向に正対していない場合には三次元の地図情報を取得して三次元の地図画面を表示部１０４に表示させる。
なお、表示内容を変形させる技術は、公知の技術であるので、ここでは詳細な説明は省略する。
【００２２】
表示内容取得部（取得手段）１０６は、表示部１０４に表示されている表示内容を示す情報を取得する。
すなわち、表示内容取得部１０６は、例えば、表示部１０４に表示されている所定の情報（例えば、地図アプリケーション等）を識別する識別情報や、表示部１０４にアプリケーション画面が表示されている場合にその表示範囲を示す範囲情報等を取得する。
ここで、範囲情報とは、アプリケーション画面を構成する全ての画素情報のうち、表示部１０４の表示領域１０４ａに実際に表示されている範囲を示す情報である。例えば、アプリケーション画面を構成する全ての画素情報のうち、表示領域１０４ａの各隅部の画素に対応する画素の位置を表す情報等を含む。
【００２３】
計時部１０７は、図示は省略するが、例えば、タイマや計時回路等を備えて構成され、現在の時刻を計時して時刻情報を取得する。そして、計時部１０７は、取得した時刻情報をメモリ１０２に出力する。
なお、計時部１０７は、取得した時刻情報に基づいて、日付や曜日等の暦を特定しても良い。
【００２４】
無線処理部１０８は、所定の無線通信回線を介して接続された眼鏡型表示端末２等の外部機器との情報の通信制御を行う。
即ち、無線処理部１０８は、例えば、Bluetooth（登録商標）等の無線により通信可能な距離が所定距離に制限された近距離無線通信規格により実現される無線ＰＡＮを介して眼鏡型表示端末２と接続する。
具体的には、無線処理部１０８は、例えば、通信アンテナ１０８ａを介して眼鏡型表示端末２との間でブルートゥース通信を行うための制御モジュールを具備している。そして、無線処理部１０８は、例えば、予めペアリングと呼ばれる通信設定処理を行うことで、互いのデバイス情報や認証鍵のデータを無線信号により通信相手と交換する。これにより、その後、当該通信設定処理を毎回行うことなく、この通信相手と自動的に或いは半自動的に通信接続されたり通信接続が解除されたりするようになっている。例えば、腕時計型表示端末１と眼鏡型表示端末２とが電波が届かない範囲に離れれば通信接続が解除される一方で、電波が届く範囲に近づけば自動的に通信接続される。また、或いは、接続や解除の操作により半自動的に通信接続されたり解除される。
【００２５】
また、無線処理部（送信手段）１０８は、表示内容取得部１０６により取得された表示内容を示す情報を眼鏡型表示端末２に送信する。
具体的には、無線処理部１０８は、表示内容取得部１０６により取得された表示内容を示す情報としての識別情報や範囲情報を、無線ＰＡＮを介して接続されている眼鏡型表示端末２に送信する。このとき、無線処理部１０８は、傾き検出部１０３により検出された当該端末本体の傾きを示す情報を眼鏡型表示端末２に送信しても良い。
【００２６】
なお、無線処理部１０８は、例えば、無線ＬＡＮモジュール等から構成され、外部のアクセスポイントを経由せずに直接眼鏡型表示端末２の無線処理部２０７との間で無線通信回線を構築するPeer to Peer（アドホックモード）で動作しても良い。
【００２７】
操作入力部１０９は、端末本体に対して各種指示を入力するためのものである。
具体的には、操作入力部１０９は、端末本体の電源のＯＮ／ＯＦＦに係る電源ボタン、モードや機能等の選択指示に係る上下左右のカーソルボタンや決定ボタン等の各種ボタン（何れも図示略）を備えている。
そして、ユーザにより各種ボタンが操作されると、操作入力部１０９は、操作されたボタンに応じた操作指示を中央制御部１０１に出力する。中央制御部１０１は、操作入力部１０９から出力され入力された操作指示に従って所定の動作（例えば、地図画面の表示等）を各部に実行させる。
【００２８】
なお、操作入力部１０９は、表示部１０４と一体となって設けられたタッチパネルを有していても良く、ユーザによるタッチパネルの所定操作に基づいて、当該所定操作に応じた操作指示を中央制御部１０１に出力しても良い。
【００２９】
次に、眼鏡型表示端末２について、図３を参照して説明する。
図３は、表示システム１００を構成する眼鏡型表示端末２の概略構成を示すブロック図である。
【００３０】
眼鏡型表示端末２は、所謂、装着者Ｓに装着されるウェアラブルコンピューターシステムであり、特に頭部装着型コンピューターシステム（ヘッドマウンティドディスプレイ）である。より具体的には、この眼鏡型表示端末２は、眼鏡のようにして頭部に装着することができる。
図３に示すように、眼鏡型表示端末２は、中央制御部２０１と、メモリ２０２と、撮像部２０３と、表示部２０４と、判定部２０５と、表示制御部２０６と、無線処理部２０７と、送受話部２０８と、通信処理部２０９と、操作入力部２１０とを備えている。
また、中央制御部２０１、メモリ２０２、撮像部２０３、表示部２０４、判定部２０５、表示制御部２０６、無線処理部２０７、送受話部２０８及び通信処理部２０９は、バスライン２１１を介して接続されている。
【００３１】
中央制御部２０１は、眼鏡型表示端末２の各部を制御するものである。具体的には、中央制御部２０１は、図示は省略するが、ＣＰＵ（Central Processing Unit）、ＲＡＭ（Random Access Memory）、ＲＯＭ（Read Only Memory）を備え、眼鏡型表示端末２用の各種処理プログラム（図示略）に従って各種の制御動作を行う。
【００３２】
メモリ２０２は、例えば、ＤＲＡＭ（Dynamic Random Access Memory）等により構成され、中央制御部２０１の他、当該眼鏡型表示端末２の各部によって処理されるデータ等を一時的に記憶するものである。
【００３３】
撮像部２０３は、当該端末本体の装着者Ｓの視線方向、すなわち、視界Ａ（図５（ａ）等参照）と略等しい範囲を撮像する。具体的には、撮像部２０３は、例えば、図示は省略するが、レンズ部と、電子撮像部と、撮像制御部とを備えている。
【００３４】
レンズ部は、例えば、ズームレンズやフォーカスレンズ等の複数のレンズ（図示略）から構成されている。
電子撮像部は、例えば、ＣＣＤ（Charge Coupled Device）やＣＭＯＳ（Complementary Metal-oxide Semiconductor）等のイメージセンサ（図示略）から構成され、レンズ部の各種レンズを通過した光学像を二次元の画像信号に変換する。
【００３５】
撮像制御部は、例えば、タイミング発生器、ドライバ等（図示略）を備えている。そして、撮像制御部は、タイミング発生器、ドライバにより電子撮像部を走査駆動して、所定周期毎にレンズ部により結像された光学像を電子撮像部により二次元の画像信号に変換させ、当該電子撮像部の撮像領域から１画面分ずつフレーム画像を読み出してメモリ２０２に出力させる。なお、各フレーム画像は、図示しない画像処理部により逐次処理されて、デジタル値の輝度信号Ｙ及び色差信号Ｃｂ，Ｃｒ（ＹＵＶデータ）に変換される。
【００３６】
表示部（第二の表示手段）２０４は、映像の光と視界Ａに対応する外界像の光とを重畳して表示領域２０４ａに透過表示する。
具体的には、表示部２０４は、眼鏡本体２ａのレンズの前に配置されている光学素子を備えている。光学素子は、ホログラフィック光学素子であり、装着者Ｓの前の外界の像の光が光学素子を通過して装着者Ｓの瞳へ到達するとともに、表示制御部２０６によって生成された映像（例えば、関連情報）の光が光学素子によって装着者Ｓの瞳へ導かれる（回折反射される）。そのため、外界像の光と映像の光が重畳され、外界像及び映像が合成されて装着者Ｓの瞳に映る。
【００３７】
また、表示部２０４は、表示制御部２０６により生成された映像信号が入力され、その映像信号に基づく映像を生成（表示）する。例えば、表示部２０４は、表示コントローラ、表示素子（例えば、液晶表示素子、デジタル・マイクロミラー・デバイス等の空間光変調素子）及び光源装置等（図示略）を備えている。表示コントローラは、映像信号に基づいて光源装置及び表示素子を制御し、光源装置が原色光（例えば赤色光、青色光及び緑色光）を表示素子に照射し、表示素子が表示コントローラによって駆動されることによって、表示素子に照射される光が画素毎に変調制御される。これにより、表示素子によって映像が生成される。なお、表示部２０４の表示素子が時発光型表示素子であれば、光源装置が表示部２０４に設けられていない。
そして、表示部（特に、表示素子）２０４によって生成された映像は、光学素子及び投影レンズによって装着者Ｓの瞳に投影される。
【００３８】
判定部（判定手段）２０５は、表示部２０４の表示領域２０４ａ内に腕時計型表示端末１の表示部１０４の表示領域１０４ａが存するか否かを判定する。つまり、ユーザから眼鏡型表示端末２の表示領域２０４ａ越しに腕時計型表示端末１の表示部１０４の表示領域１０４ａが見える位置に存するか否かを判定する。
具体的には、判定部２０５は、腕時計型表示端末１の表示部１０４の表示領域１０４ａを検出する表示領域検出部２０５ａを具備している。
表示領域検出部２０５ａは、撮像部２０３により撮像された視界Ａと略等しい範囲に対応するフレーム画像に含まれる腕時計型表示端末１の表示部１０４の表示領域１０４ａの複数の点（例えば、４隅の点等）の座標を検出する。例えば、表示領域検出部２０５ａは、フレーム画像に対して所定の二値化処理が施されることで生成された二値化画像の画像データに対して所定の特徴抽出処理を行って、略枠状の表示領域１０４ａを抽出する。
そして、表示部２０４の表示領域２０４ａは、撮像部２０３による撮像範囲に対応する外界像の光が重畳した状態で透過表示されるので、判定部２０５は、表示領域検出部２０５ａによる表示領域１０４ａの検出結果に基づいて、表示部２０４の表示領域２０４ａ内に腕時計型表示端末１の表示部１０４の表示領域１０４ａが存するか否かを判定する。
【００３９】
ここで、腕時計型表示端末１の表示領域１０４ａの４隅にマーカーが付されている場合には、表示領域検出部２０５ａは、マーカーを検出することで表示領域１０４ａを検出しても良い。なお、特徴抽出処理は、公知の技術であるので、ここでは詳細な説明を省略する。
【００４０】
表示制御部２０６は、中央制御部２０１のＣＰＵによる各種のアプリケーションプログラム（図示略）の実行に基づいて、表示アプリケーション画面を生成し、生成された表示アプリケーション画面に従った画像信号を表示部２０４に出力する。
なお、アプリケーションプログラムとしては、例えば、腕時計型表示端末１と略同様に、地図表示ソフト、電子メールソフト、インターネットブラウザ、メッセンジャー、ゲームソフト、電子辞書ソフト、ワードプロセッサ、表計算ソフト、プレゼンテーションソフト、画像編集ソフト、作図ソフト、ベクトルグラフィックエディタ又はデジタルカメラ制御等のプログラムが挙げられる。
また、アプリケーションプログラムは、例えば、予めＲＯＭに記録されていても良いし、通信処理部２０９が通信ネットワークＮを介して外部サーバから取得しても良い。
【００４１】
また、表示制御部（制御手段）２０６は、無線処理部２０７により受信された表示内容を示す情報に基づいて、腕時計型表示端末１の表示部１０４の表示内容に関連する内容の関連情報を表示部２０４に表示させる。
すなわち、表示制御部２０６の関連情報特定部２０６ａは、無線処理部２０７により受信された表示内容を示す情報としての、腕時計型表示端末１の表示部１０４に表示されている所定の情報（例えば、地図アプリケーション等）を識別する識別情報に基づいて、当該所定の情報を表示部２０４に表示させるべき情報（関連情報）として特定する。そして、表示制御部２０６は、特定された情報に対応する表示アプリケーション画面を生成し、生成された表示アプリケーション画面に従った画像信号を表示部２０４に出力する。
このように、関連情報は、腕時計型表示端末１の表示部１０４に表示されている表示内容に対応する情報を一部に含む情報であるが、一例であってこれに限られるものではなく、適宜任意に変更可能である。例えば、腕時計型表示端末１の表示部１０４に表示されている表示内容を詳細に説明する情報（例えば、地図の場合には、その地点に存する建物の事業内容、画像の場合には、露出条件や焦点距離等の撮像条件など）であっても良い。
【００４２】
また、表示制御部２０６は、無線処理部２０７により受信された表示内容を示す情報としての、腕時計型表示端末１の表示部１０４に表示されているアプリケーション画面の表示範囲を示す範囲情報に基づいて、表示部２０４に表示させるべき表示アプリケーション画面の表示範囲を特定する。すなわち、表示制御部２０６は、判定部２０５により当該眼鏡型表示端末２の表示部２０４の表示領域２０４ａ内に腕時計型表示端末１の表示部１０４の表示領域１０４ａが存すると判定された場合に、腕時計型表示端末１の表示部１０４に表示されているアプリケーション画面に対応する表示アプリケーション画面を表示部２０４の表示領域２０４ａに表示させる。具体的には、表示制御部２０６は、腕時計型表示端末１の表示部１０４に表示されているアプリケーション画面の表示内容に対して表示部２０４に表示させるべき表示アプリケーション画面に含まれる当該表示内容に対応する範囲の位置を一致させるように表示部２０４の表示領域２０４ａに表示させる。
つまり、表示部２０４の表示領域２０４ａ内に腕時計型表示端末１の表示部１０４の表示領域１０４ａが存する場合、表示部２０４は、腕時計型表示端末１の表示部１０４に表示されているアプリケーション画面の外界像の光は当該表示部２０４の表示領域２０４ａに透過した状態で配置される（図５（ａ）等参照）。表示制御部２０６は、腕時計型表示端末１の表示部１０４に表示されているアプリケーション画面の表示範囲を示す範囲情報に基づいて、表示部２０４に表示させるべき表示アプリケーション画面の中で腕時計型表示端末１の表示内容に対応する範囲を特定し、特定された範囲を表示領域２０４ａに透過した状態の腕時計型表示端末１の表示部１０４に表示されているアプリケーション画面に一致させるように配置するとともに、特定された範囲以外の表示アプリケーション画面の部分を表示部２０４の表示領域２０４ａに透過表示させる。
【００４３】
なお、表示アプリケーション画面の中で腕時計型表示端末１の表示内容に対応する範囲は、表示部２０４に透過表示（腕時計型表示端末１の表示部１０４の表示領域１０４ａと重畳させるように透過表示）されても良いし、当該範囲以外の表示アプリケーション画面の部分が表示部２０４に透過表示されても良い。
【００４４】
また、腕時計型表示端末１の傾き検出部１０３により検出された当該端末本体の傾きを示す情報に基づいて、表示制御部２０６は、表示部２０４の表示領域２０４ａ内に表示されるアプリケーション画面を傾斜させて表示部２０４に表示させても良い。
なお、アプリケーション画面を傾斜させて表示部２０４の表示領域２０４ａ内に表示させる手法は、上記腕時計型表示端末１の場合と略同様であり、その詳細な説明は省略する。
【００４５】
無線処理部２０７は、所定の無線通信回線を介して接続された腕時計型表示端末１等の外部機器との情報の通信制御を行う。
即ち、無線処理部２０７は、腕時計型表示端末１の無線処理部１０８と略同様に、例えば、通信アンテナ２０７ａを介してBluetooth（登録商標）等の無線により通信可能な距離が所定距離に制限された近距離無線通信規格により実現される無線ＰＡＮを介して腕時計型表示端末１と接続する。
【００４６】
また、無線処理部（受信手段）２０７は、腕時計型表示端末１から送信された表示内容を示す情報を受信する。
具体的には、無線処理部２０７は、腕時計型表示端末１の表示内容取得部１０６により取得され、無線ＰＡＮを介して送信された表示内容を示す情報としての識別情報や範囲情報を受信する。また、腕時計型表示端末１から当該端末本体の傾きを示す情報が送信された場合には、無線処理部２０７は、当該端末本体の傾きを示す情報を受信する。
【００４７】
なお、無線処理部２０７は、腕時計型表示端末１の無線処理部１０８と略同様に、例えば、無線ＬＡＮモジュール等から構成され、外部のアクセスポイントを経由せずに直接腕時計型表示端末１の無線処理部１０８との間で無線通信回線を構築するPeer to Peer（アドホックモード）で動作しても良い。
【００４８】
通信処理部２０９は、通信ネットワークＮ及び通信アンテナ２０９ａを介してデータの送受信を行う。
即ち、通信アンテナ２０９ａは、当該眼鏡型表示端末２が無線基地局（図示略）との通信で採用している所定の通信方式（例えば、Ｗ−ＣＤＭＡ(Wideband Code Division Multiple Access)方式、ＧＳＭ（Global System for Mobile Communications；登録商標）方式等）に対応したデータの送受信が可能なアンテナである。そして、通信処理部２０９は、所定の通信方式に対応する通信プロトコルに従って、この通信方式で設定される通信チャネルにより無線基地局との間で通信アンテナ２０９ａを介してデータの送受信を行う。
なお、通信処理部２０９の構成は一例であってこれに限られるものではなく、適宜任意に変更可能であり、例えば、図示は省略するが、無線ＬＡＮモジュールを搭載し、アクセスポイント（Access Point）を介して通信ネットワークＮにアクセス可能な構成としても良い。
【００４９】
通信ネットワークＮは、例えば、眼鏡型表示端末２を無線基地局やゲートウェイサーバ（図示略）等を介して外部機器と接続する通信ネットワークである。
また、通信ネットワークＮは、例えば、専用線や既存の一般公衆回線を利用して構築された通信ネットワークであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００５０】
操作入力部２１０は、端末本体に対して各種指示を入力するためのものである。
具体的には、操作入力部２１０は、端末本体の電源のＯＮ／ＯＦＦに係る電源ボタン、モードや機能等の選択指示に係る上下左右のカーソルボタンや決定ボタン等の各種ボタン（何れも図示略）を備えている。
そして、ユーザにより各種ボタンが操作されると、操作入力部２１０は、操作されたボタンに応じた操作指示を中央制御部２０１に出力する。中央制御部２０１は、操作入力部２１０から出力され入力された操作指示に従って所定の動作を各部に実行させる。
【００５１】
＜表示処理＞
次に、表示システム１００による表示処理について、図４を参照して説明する。
図４は、表示処理に係る動作の一例を示すフローチャートである。
なお、以下の表示処理では、予め腕時計型表示端末１と眼鏡型表示端末２とが無線ＰＡＮを介して情報通信可能に接続されているものとする。
【００５２】
図４に示すように、先ず、腕時計型表示端末１にあっては、ユーザによる操作入力部１０９の所定操作に基づいて所望のアプリケーションが指定されると、中央制御部１０１のＣＰＵは、当該アプリケーションに対応するアプリケーションプログラムを実行して、表示制御部１０５は、アプリケーション画面を表示部１０４に表示させる（ステップＳ１）。
【００５３】
次に、表示内容取得部１０６は、表示部１０４に表示されている表示内容を示す情報として、表示されているアプリケーション画面に対応するアプリケーションを識別する識別情報や、表示部１０４におけるアプリケーション画面の表示範囲を示す範囲情報を取得する（ステップＳ２）。
そして、無線処理部１０８は、表示内容取得部１０６により取得された表示内容を示す情報としての識別情報や範囲情報を、無線ＰＡＮを介して接続されている眼鏡型表示端末２に送信する（ステップＳ３）。
【００５４】
眼鏡型表示端末２にあっては、判定部２０５は、表示部２０４の表示領域２０４ａ内に腕時計型表示端末１の表示部１０４の表示領域１０４ａが存するか否かを逐次判定する（ステップＳ４）。
具体的には、撮像部２０３は、装着者Ｓの視界Ａと略等しい範囲を逐次撮像して複数のフレーム画像を生成し、判定部２０５の表示領域検出部２０５ａは、各フレーム画像に含まれる腕時計型表示端末１の表示部１０４の表示領域１０４ａの複数の点（例えば、４隅の点等）の座標を検出し、略枠状の表示領域１０４ａを抽出する。そして、判定部２０５は、表示領域検出部２０５ａによる表示領域１０４ａの検出結果に基づいて、表示部２０４の表示領域２０４ａ内に腕時計型表示端末１の表示部１０４の表示領域１０４ａが存するか否かを判定する。
【００５５】
ステップＳ４における判定処理は、所定の時間間隔で逐次行われ、表示部２０４の表示領域２０４ａ内に腕時計型表示端末１の表示部１０４の表示領域１０４ａが存しないと判定されると（ステップＳ４；ＮＯ）、判定部２０５は、所定の時間経過後に、表示部２０４の表示領域２０４ａ内に腕時計型表示端末１の表示部１０４の表示領域１０４ａが存するか否かを再度判定する。
ステップＳ４にて、表示部２０４の表示領域２０４ａ内に腕時計型表示端末１の表示部１０４の表示領域１０４ａが存すると判定されると（ステップＳ４；ＹＥＳ）、表示制御部２０６の関連情報特定部２０６ａは、無線処理部２０７により受信された表示内容を示す情報としての識別情報に基づいて、表示部２０４に表示させるべきアプリケーションを特定する（ステップＳ５）。続けて、表示制御部２０６は、無線処理部２０７により受信された表示内容を示す情報としての範囲情報に基づいて、表示部２０４に表示させるべき表示アプリケーション画面の表示範囲、すなわち、表示部２０４に表示させるべき表示アプリケーション画面の中で腕時計型表示端末１の表示内容に対応する範囲を特定する（ステップＳ６）。
【００５６】
次に、表示制御部２０６は、表示アプリケーション画面の中で腕時計型表示端末１の表示内容に対応する範囲を、表示領域２０４ａに透過した状態の腕時計型表示端末１の表示部１０４に表示されているアプリケーション画面に一致させるように配置するとともに、特定された範囲以外の表示アプリケーション画面の部分を表示部２０４の表示領域２０４ａに透過表示させる（ステップＳ７；図５（ａ）等参照）。
【００５７】
当該表示処理は常時行われ、腕時計型表示端末１の表示部１０４の表示領域１０４ａの表示内容に応じて、眼鏡型表示端末２の表示部２０４の表示領域２０４ａの表示内容も変化することとなる。
例えば、腕時計型表示端末１の表示部１０４に地図を表示する場合、表示部１０４に現在位置「地点Ａ」の付近を表示させている場合には（図５（ａ）参照）、眼鏡型表示端末２の表示部２０４に「地点Ａ」を基準としてその周辺の所定範囲の地図が透過表示された状態となる。一方、表示部１０４に現在位置以外の「ハローワーク○○○」付近を表示させている場合には（図５（ｂ）参照）、眼鏡型表示端末２の表示部２０４に「ハローワーク○○○」を基準としてその周辺の所定範囲の地図が透過表示された状態となる。
【００５８】
以上のように、本実施形態の表示システム１００によれば、眼鏡型表示端末２は、腕時計型表示端末１から送信され、当該腕時計型表示端末１の表示部１０４に表示されている表示内容を示す情報に基づいて、腕時計型表示端末１の表示部１０４の表示内容に関連する内容の関連情報を表示部２０４に表示させるので、例えば、地図、Ｗｅｂサイト、画像等を表示するのに腕時計型表示端末１の表示部１０４の表示領域１０４ａが十分な面積を有していない場合であっても、眼鏡型表示端末２の表示部２０４を利用して表示領域１０４ａを確保することができ、より多くの情報を効率良く表示することができる。
【００５９】
また、眼鏡型表示端末２の表示部２０４の表示領域２０４ａ内に腕時計型表示端末１の表示部１０４の表示領域１０４ａが存する（ユーザから眼鏡型表示端末２の表示領域２０４ａ越しに腕時計型表示端末１の表示部１０４の表示領域１０４ａが見える位置に存する）と判定された場合に、関連情報を表示部２０４の表示領域２０４ａに表示させるので、眼鏡型表示端末２の表示部２０４の表示領域２０４ａ内に腕時計型表示端末１の表示部１０４の表示領域１０４ａが存するか否かに応じて、すなわち、装着者Ｓが腕時計型表示端末１の表示部１０４に表示されている情報を視認しているか否かに応じて、当該表示領域２０４ａ内に表示される情報を切り替えて表示させることができ、使い勝手を向上させることができる。
このとき、腕時計型表示端末１の表示部１０４に表示されている表示内容に対して関連情報に含まれる当該表示内容に対応する範囲の位置を一致させるように関連情報を表示部２０４の表示領域２０４ａに表示させることで、眼鏡型表示端末２の表示部２０４の表示領域２０４ａ内に腕時計型表示端末１の表示部１０４の表示領域１０４ａが存する場合であっても、腕時計型表示端末１の表示部１０４に表示されている所定の情報及び眼鏡型表示端末２の表示部２０４に透過表示されている関連情報を視認する装着者Ｓに対して違和感を生じさせ難くすることができる。
【００６０】
なお、本発明は、上記実施形態に限定されることなく、本発明の趣旨を逸脱しない範囲において、種々の改良並びに設計の変更を行っても良い。
例えば、上記実施形態にあっては、腕時計型表示端末１の当該端末本体の傾きを示す情報に基づいて、眼鏡型表示端末２は、関連情報を傾斜させて表示部２０４に表示させたり、腕時計型表示端末１は、所定の情報の表示内容を傾斜させて表示するようにしたが、一例であってこれに限られるものではなく、適宜任意に変更可能である。すなわち、腕時計型表示端末１の当該端末本体の傾きを基準として、眼鏡型表示端末２の表示部２０４や腕時計型表示端末１の表示部１０４の表示を変化させることができ、使い勝手をより向上させることができるが、腕時計型表示端末１は、必ずしも傾き検出部１０３を具備する必要はない。
【００６１】
また、上記実施形態では、表示部２０４の表示領域２０４ａ内に腕時計型表示端末１の表示部１０４の表示領域１０４ａが存するか否かを、表示領域検出部２０５ａによる腕時計型表示端末１の表示部１０４の表示領域１０４ａの検出結果に応じて判定するようにしたが、一例であってこれに限られるものではなく、適宜任意に変更可能である。例えば、所定の視線検出技術により装着者Ｓが腕時計型表示端末１の表示部１０４の表示領域１０４ａを視認しているか否かを検出し、当該検出の結果に応じて外界像の光を透過する表示部２０４の表示領域２０４ａ内に腕時計型表示端末１の表示部１０４の表示領域１０４ａが存するか否かを判定するようにしても良い。
【００６２】
さらに、上記実施形態では、例えば、所定の通信回線として、無線通信回線を例示して説明したが、眼鏡型表示端末２と腕時計型表示端末１とを有線ケーブル等により接続して通信を行う有線通信回線であっても良い。
【００６３】
また、表示システム１００の構成や当該表示システム１００が有する腕時計型表示端末１や眼鏡型表示端末２の構成は、上記実施形態に例示したものは一例であり、これに限られるものではない。
例えば、腕時計型表示端末１の代わりに、例えば、スマートフォン、携帯電話やＰＨＳ（Personal Handy-phone System）、ＰＤＡ（Personal Data Assistants）等を適用しても良い。
【００６４】
加えて、上記実施形態にあっては、受信制御手段、表示制御手段としての機能を、眼鏡型表示端末２の中央制御部２０１の制御下にて、無線処理部２０７、表示制御部２０６が駆動することにより実現される構成としたが、これに限られるものではなく、中央制御部２０１によって所定のプログラム等が実行されることにより実現される構成としても良い。
即ち、プログラムメモリ（図示略）に、受信制御処理ルーチン、表示制御処理ルーチンを含むプログラムを記録しておく。そして、受信制御処理ルーチンにより中央制御部２０１のＣＰＵを、他の表示端末から送信され、当該他の表示端末に表示されている表示内容を示す情報を受信する手段として機能させるようにしても良い。また、表示制御処理ルーチンにより中央制御部２０１のＣＰＵを、受信された前記表示内容を示す情報に基づいて、他の表示端末の表示内容に関連する内容の関連情報を表示手段に表示させる手段として機能させるようにしても良い。
【００６５】
同様に、判定手段についても、眼鏡型表示端末２の中央制御部２０１のＣＰＵによって所定のプログラム等が実行されることにより実現される構成としても良い。
【００６６】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００６７】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
情報通信可能に接続された複数の表示端末を備える表示システムであって、
前記複数の表示端末のうち、第一の表示端末は、
情報を表示する第一の表示手段と、
前記第一の表示手段に表示されている表示内容を示す情報を取得する取得手段と、
前記取得手段により取得された前記表示内容を示す情報を、第二の表示端末に送信する送信手段と、を備え、
前記第二の表示端末は、
第二の表示手段と、
前記第一の表示端末から送信された前記表示内容を示す情報を受信する受信手段と、
前記受信手段により受信された前記表示内容を示す情報に基づいて、前記第一の表示手段の表示内容に関連する内容の関連情報を前記第二の表示手段に表示させる制御手段と、を備えることを特徴とする表示システム。
＜請求項２＞
前記第二の表示端末は、
ユーザから当該表示端末の表示領域越しに前記第一の表示手段の表示領域が見える位置に存するか否かを判定する判定手段を更に備え、
前記制御手段は、
前記判定手段により存すると判定された場合に、前記関連情報を前記第二の表示手段の表示領域に表示させることを特徴とする請求項１に記載の表示システム。
＜請求項３＞
前記関連情報は、前記第一の表示手段に表示されている表示内容に対応する情報を一部に含む情報であり、
前記制御手段は、更に、
前記判定手段により存すると判定された場合に、前記第一の表示手段に表示されている表示内容に対して前記関連情報に含まれる当該表示内容に対応する情報の位置を一致させるように前記関連情報を前記第二の表示手段の表示領域に表示させることを特徴とする請求項２に記載の表示システム。
＜請求項４＞
前記第二の表示手段は、更に、
外界像の光に対して前記関連情報の光を重畳して表示領域に透過表示することを特徴とする請求項１〜３の何れか一項に記載の表示システム。
＜請求項５＞
前記第一の表示端末は、
当該端末本体の傾きを検出する検出手段を更に備え、
前記送信手段は、
前記検出手段により検出された当該端末本体の傾きを示す情報を前記第二の表示端末に送信し、
前記第二の表示端末にあっては、
前記制御手段は、更に、
前記受信手段により受信された前記第一の表示端末本体の傾きを示す情報に基づいて、前記関連情報を傾斜させて前記第二の表示手段に表示させることを特徴とする請求項１〜４の何れか一項に記載の表示システム。
＜請求項６＞
前記第一の表示端末にあっては、
前記第一の表示手段は、
前記検出手段により検出された当該端末本体の傾きを示す情報に基づいて、前記表示内容を傾斜させて表示することを特徴とする請求項５に記載の表示システム。
＜請求項７＞
前記第一の表示端末は、手首に装着される腕時計型の表示端末であり、
前記第二の表示端末は、頭に装着される眼鏡型の表示端末であることを特徴とする請求項１〜６の何れか一項に記載の表示システム。
＜請求項８＞
情報通信可能に他の表示端末と接続された表示端末であって、
前記他の表示端末から送信され、当該他の表示端末に表示されている表示内容を示す情報を受信する受信手段と、
前記受信手段により受信された前記表示内容を示す情報に基づいて、前記他の表示端末の表示内容に関連する内容の関連情報を表示手段に表示させる制御手段と、を備えることを特徴とする表示端末。
＜請求項９＞
情報通信可能に接続された複数の表示端末を備える表示システムを用いた表示方法であって、
前記複数の表示端末のうち、第一の表示端末は、
第一の表示手段に表示されている表示内容を示す情報を取得する処理と、
取得された前記表示内容を示す情報を、第二の表示端末に送信する処理と、を行い、
前記第二の表示端末は、
前記第一の表示端末から送信された前記表示内容を示す情報を受信する処理と、
受信された前記表示内容を示す情報に基づいて、前記第一の表示手段の表示内容に関連する内容の関連情報を第二の表示手段に表示させる処理と、を行うことを特徴とする表示方法。
＜請求項１０＞
情報通信可能に他の表示端末と接続された表示端末が有するコンピュータを、
前記他の表示端末から送信され、当該他の表示端末に表示されている表示内容を示す情報を受信する受信制御手段、
受信された前記表示内容を示す情報に基づいて、前記他の表示端末の表示内容に関連する内容の関連情報を表示手段に表示させる表示制御手段、
として機能させることを特徴とするプログラム。
【符号の説明】
【００６８】
１００    表示システム
１        腕時計型表示端末
１０３    傾き検出部
１０４    表示部
１０６    表示内容取得部
１０８    無線処理部
２        眼鏡型表示端末
２０１    中央制御部
２０４    表示部
２０５    判定部
２０６    表示制御部
２０７    無線処理部
【図１】
0005929933.tif 000002
【図２】
0005929933.tif 000003
【図３】
0005929933.tif 000004
【図４】
0005929933.tif 000005
【図５】
0005929933.tif 000006